(57)【要約】【課題】通信の輻輳を抑制すること。【解決手段】通信制御装置１３０は、基地局１１２と送信電力を初期値から段階的に上げながら基地局１１２への接続を試行する移動局１１１との通信を監視し、基地局１１２における上り通信の輻輳状態を判定する。通信制御装置１３０は、移動局１１１に、第１の輻輳状態であると判定した場合には、第１の値を送信電力の初期値として設定させる。また、通信制御装置１３０は、移動局１１１に、第１の輻輳状態より輻輳している第２の輻輳状態であると判定した場合には、第１の値より大きい第２の値を送信電力の初期値として設定させる。【選択図】図１
2014116815.tif 000002
【特許請求の範囲】
【請求項１】
基地局における上り通信の輻輳状態を判定する判定部と、
送信電力を初期値から段階的に上げながら前記基地局への接続を試行する移動局に、前記判定部によって第１の輻輳状態であると判定された場合には第１の値を前記初期値に設定させ、前記判定部によって前記第１の輻輳状態より輻輳している第２の輻輳状態であると判定された場合には前記第１の値より大きい第２の値を前記初期値に設定させる制御部と、
を有することを特徴とする通信制御装置。
【請求項２】
前記判定部は、前記上り通信が３以上の輻輳状態の中のいずれの輻輳状態であるかを判定し、
前記制御部は、前記移動局に、前記判定部によって判定された輻輳状態の輻輳度合いが大きいほど大きい値を前記初期値に設定させることを特徴とする請求項１に記載の通信制御装置。
【請求項３】
前記制御部は、前記移動局が前記初期値を決定するためのパラメータを含む設定要求を前記移動局へ送信することによって、前記移動局に前記初期値を設定させることを特徴とする請求項１または２に記載の通信制御装置。
【請求項４】
送信電力の第１の値と第１の時間帯とを対応付け、前記第１の値より大きい第２の値と前記第１の時間帯とは異なる第２の時間帯とを対応付けた対応情報を取得する取得部と、
前記取得部によって取得された対応情報を参照して、送信電力を初期値から段階的に上げながら基地局への接続を試行する移動局に、現在の時間帯に対応する値を前記初期値に設定させる制御部と、
を有することを特徴とする通信制御装置。
【請求項５】
前記第１の時間帯は、前記基地局における上り通信が第１の輻輳状態となる時間帯であって、
前記第２の時間帯は、前記上り通信が前記第１の輻輳状態より輻輳している第２の輻輳状態となる時間帯であることを特徴とする請求項４に記載の通信制御装置。
【請求項６】
複数の時間帯における前記上り通信の輻輳の程度を示す情報を取得し、取得した情報に基づいて、前記複数の時間帯と、前記複数の時間帯での前記上り通信の輻輳の程度が大きいほど大きい値と、を対応付けた対応情報を作成する作成部と、
前記作成部によって作成された対応情報を記憶する記憶部と、を有し、
前記制御部は、前記記憶部に記憶された対応情報を参照して、前記移動局に、現在の時間帯に対応する初期値を前記送信電力の初期値に設定させることを特徴とする請求項４または５に記載の通信制御装置。
【請求項７】
送信電力を初期値から段階的に上げながら基地局への接続を試行する通信部と、
前記基地局における上り通信の輻輳状態を判定し、第１の輻輳状態であると判定された場合には第１の値を前記初期値に設定させ、前記第１の輻輳状態より輻輳している第２の輻輳状態であると判定された場合には前記第１の値より大きい第２の値を前記初期値に設定させる通信制御装置による制御に従って、前記初期値を設定する設定部と、
を有することを特徴とする移動局。
【請求項８】
送信電力を初期値から段階的に上げながら基地局への接続を試行する通信部と、
送信電力の第１の値と第１の時間帯とを対応付け、前記第１の値より大きい第２の値と前記第１の時間帯とは異なる第２の時間帯とを対応付けた対応情報を参照して、現在の時間帯に対応する値を前記初期値に設定させる通信制御装置による制御に従って、前記初期値を設定する設定部と、
を有することを特徴とする移動局。
【請求項９】
コンピュータが、
基地局における上り通信の輻輳状態を判定し、
送信電力を初期値から段階的に上げながら前記基地局への接続を試行する移動局に、第１の輻輳状態であると判定された場合には第１の値を前記初期値に設定させ、前記第１の輻輳状態より輻輳している第２の輻輳状態であると判定された場合には前記第１の値より大きい第２の値を前記初期値に設定させる、
処理を実行することを特徴とする通信制御方法。
【請求項１０】
コンピュータが、
送信電力の第１の値と第１の時間帯とを対応付け、前記第１の値より大きい第２の値と前記第１の時間帯とは異なる第２の時間帯とを対応付けた対応情報を取得し、
取得した対応情報を参照して、送信電力を初期値から段階的に上げながら基地局への接続を試行する移動局に、現在の時間帯に対応する値を前記初期値に設定させる、
処理を実行することを特徴とする通信制御方法。
【請求項１１】
コンピュータが、
送信電力を初期値から段階的に上げながら基地局への接続を試行し、
前記基地局における上り通信の輻輳状態を判定し、第１の輻輳状態であると判定された場合には第１の値を前記初期値に設定させ、前記第１の輻輳状態より輻輳している第２の輻輳状態であると判定された場合には前記第１の値より大きい第２の値を前記初期値に設定させる通信制御装置による制御に従って、前記初期値を設定する、
処理を実行することを特徴とする通信方法。
【請求項１２】
コンピュータが、
送信電力を初期値から段階的に上げながら基地局への接続を試行し、
送信電力の第１の値と第１の時間帯とを対応付け、前記第１の値より大きい第２の値と前記第１の時間帯とは異なる第２の時間帯とを対応付けた対応情報を参照して、現在の時間帯に対応する値を前記初期値に設定させる通信制御装置による制御に従って、前記初期値を設定する、
処理を実行することを特徴とする通信方法。
【請求項１３】
送信電力を初期値から段階的に上げながら基地局への接続を試行する移動局と、
前記基地局における上り通信の輻輳状態を判定し、前記移動局に、第１の輻輳状態であると判定された場合には第１の値を前記初期値に設定させ、前記第１の輻輳状態より輻輳している第２の輻輳状態であると判定された場合には前記第１の値より大きい第２の値を前記初期値に設定させる通信制御装置と、
を含むことを特徴とする通信システム。
【請求項１４】
送信電力を初期値から段階的に上げながら基地局への接続を試行する移動局と、
送信電力の第１の値と第１の時間帯とを対応付け、前記第１の値より大きい第２の値と前記第１の時間帯とは異なる第２の時間帯とを対応付けた対応情報を参照して、前記移動局に、現在の時間帯に対応する値を前記初期値に設定させる通信制御装置と、
を含むことを特徴とする通信システム。
【請求項１５】
移動局と通信制御装置とを含む通信システムにおける通信方法において、
前記移動局は、送信電力を初期値から段階的に上げながら基地局への接続を試行し、
前記通信制御装置は、前記基地局における上り通信の輻輳状態を判定し、前記移動局に、第１の輻輳状態であると判定された場合には第１の値を前記初期値に設定させ、前記第１の輻輳状態より輻輳している第２の輻輳状態であると判定された場合には前記第１の値より大きい第２の値を前記初期値に設定させる、
ことを特徴とする通信方法。
【請求項１６】
移動局と通信制御装置とを含む通信システムにおける通信方法において、
前記移動局は、送信電力を初期値から段階的に上げながら基地局への接続を試行し、
前記通信制御装置は、前記送信電力の第１の値と第１の時間帯とを対応付け、前記第１の値より大きい第２の値と前記第１の時間帯とは異なる第２の時間帯とを対応付けた対応情報を参照して、前記移動局に、現在の時間帯に対応する値を前記初期値に設定させる、
ことを特徴とする通信方法。
【発明の詳細な説明】
【技術分野】
【０００１】
本発明は、通信制御装置、通信制御方法、移動局、通信方法、および通信システムに関する。
【背景技術】
【０００２】
従来、移動体通信システムにおいて、移動局は、基地局に対して電波を送受信する場合は、電波の送信電力を初期値から段階的に上げながら電波を送信して、基地局への接続を試行する。移動局は、例えば、基地局から当該基地局が存在する位置登録エリアの識別子を受信して自局が位置登録エリアを移行したことを検出する。
【０００３】
移動局は、位置登録エリアを移行したことを検出した場合には、自局が存在する位置登録エリアの識別子を交換局に登録させる登録要求を基地局を介して交換局に送信するために、基地局への接続を試行する。ここで、複数の移動局が列車などの交通機関によって運ばれている場合には、複数の移動局が纏めて位置登録エリアの境界を通過することになり、複数の移動局が基地局への接続を試行して、基地局における上り通信を輻輳させてしまうことがある。
【０００４】
先行技術としては、例えば、位置登録エリアが移行した場合に、ランダムタイマをオンして、ランダムタイマのタイムアウトをトリガとして位置登録を要求する技術がある（例えば、下記特許文献１参照）。また、基地局からの位置登録規制信号をモニタして、位置登録規制エリアに在圏中に位置登録要求する場合は一定の確率で位置登録要求を規制し、所定時間待機した後に位置登録要求する技術がある（例えば、下記特許文献２参照）。
【０００５】
また、基地局から送られてくる電波の受信レベルが第１のしきい値以下の時には、送信電力を大きく設定する技術がある（例えば、下記特許文献３参照）。また、運行情報データベースを参照して、交通機関が位置登録エリアの境界を通過する時刻が到来すると、交通機関に乗車している移動端末の位置登録エリアを変更する技術がある（例えば、下記特許文献４参照）。
【先行技術文献】
【特許文献】
【０００６】
【特許文献１】特開２００２−０５１３７４号公報
【特許文献２】特開平０４−３７３３２８号公報
【特許文献３】特開２００６−１０１１８０号公報
【特許文献４】特開２００４−１２９１１９号公報
【発明の概要】
【発明が解決しようとする課題】
【０００７】
しかしながら、上述した従来技術では、例えば通勤時間帯などで基地局へのアクセスが集中すると、上り帯域のノイズが大きくなってアクセスの試行回数が増え、通信の輻輳を抑制することができない。
【０００８】
１つの側面では、本発明は、通信の輻輳を抑制することを目的とする。
【課題を解決するための手段】
【０００９】
本発明の一側面によれば、基地局における上り通信の輻輳状態を判定し、送信電力を初期値から段階的に上げながら基地局への接続を試行する移動局に、第１の輻輳状態であると判定した場合には第１の値を初期値に設定させ、第１の輻輳状態より輻輳している第２の輻輳状態であると判定した場合には第１の値より大きい第２の値を初期値に設定させる通信制御装置、および通信制御方法が提案される。
【００１０】
また、本発明の一側面によれば、送信電力の第１の値と第１の時間帯とを対応付け、第１の値より大きい第２の値と第１の時間帯とは異なる第２の時間帯とを対応付けた対応情報を取得し、取得した対応情報を参照して、送信電力を初期値から段階的に上げながら基地局への接続を試行する移動局に、現在の時間帯に対応する値を初期値に設定させる通信制御装置、および通信制御方法が提案される。
【００１１】
また、本発明の一側面によれば、送信電力を初期値から段階的に上げながら基地局への接続を試行し、基地局における上り通信の輻輳状態を判定し、第１の輻輳状態であると判定された場合には第１の値を初期値に設定させ、第１の輻輳状態より輻輳している第２の輻輳状態であると判定された場合には第１の値より大きい第２の値を初期値に設定させる通信制御装置による制御に従って、初期値を設定する移動局、および通信方法が提案される。
【００１２】
また、本発明の一側面によれば、送信電力を初期値から段階的に上げながら基地局への接続を試行し、送信電力の第１の値と第１の時間帯とを対応付け、第１の値より大きい第２の値と第１の時間帯とは異なる第２の時間帯とを対応付けた対応情報を参照して、現在の時間帯に対応する値を初期値に設定させる通信制御装置による制御に従って、初期値を設定する移動局、および通信方法が提案される。
【００１３】
また、本発明の一側面によれば、送信電力を初期値から段階的に上げながら基地局への接続を試行する移動局と、基地局における上り通信の輻輳状態を判定し、移動局に、第１の輻輳状態であると判定された場合には第１の値を初期値に設定させ、第１の輻輳状態より輻輳している第２の輻輳状態であると判定された場合には第１の値より大きい第２の値を初期値に設定させる通信制御装置と、を含む通信システム、および通信方法が提案される。
【００１４】
また、本発明の一側面によれば、送信電力を初期値から段階的に上げながら基地局への接続を試行する移動局と、送信電力の第１の値と第１の時間帯とを対応付け、第１の値より大きい第２の値と第１の時間帯とは異なる第２の時間帯とを対応付けた対応情報を参照して、移動局に、現在の時間帯に対応する値を初期値に設定させる通信制御装置と、を含む通信システム、および通信方法が提案される。
【発明の効果】
【００１５】
本発明の一態様によれば、通信の輻輳を抑制することができるという効果を奏する。
【図面の簡単な説明】
【００１６】
【図１】図１は、通信システム１００の一実施例を示す説明図である。
【図２】図２は、通信システム１００のハードウェア例を示す説明図である。
【図３】図３は、実施の形態にかかる通信制御装置１３０のハードウェア構成例を示すブロック図である。
【図４】図４は、Ｉｎｉｔ＿Ｐｏｗｅｒ規定値テーブル４００の記憶内容の一例を示す説明図である。
【図５】図５は、Ｉｎｉｔ＿Ｐｏｗｅｒ規定値記録テーブル５００の記憶内容の一例を示す説明図である。
【図６】図６は、移動局１１１のハードウェア構成例を示すブロック図である。
【図７】図７は、通信制御装置１３０の機能的構成を示すブロック図である。
【図８】図８は、移動局１１１の機能的構成を示すブロック図である。
【図９】図９は、移動局１１１のショートメッセージ受信の具体例を示す説明図である。
【図１０】図１０は、通信制御装置１３０の動作例１の具体例を示す説明図（その１）である。
【図１１】図１１は、通信制御装置１３０の動作例１の具体例を示す説明図（その２）である。
【図１２】図１２は、通信制御装置１３０の基本設定処理手順の一例を示すフローチャートである。
【図１３】図１３は、通信制御装置１３０の動作例２の具体例を示す説明図（その１）である。
【図１４】図１４は、通信制御装置１３０の動作例２の具体例を示す説明図（その２）である。
【図１５】図１５は、通信制御装置１３０の作成処理手順の一例を示すフローチャートである。
【図１６】図１６は、通信制御装置１３０の設定処理手順の一例を示すフローチャートである。
【発明を実施するための形態】
【００１７】
以下に添付図面を参照して、本発明にかかる通信制御装置、通信制御方法、移動局、通信方法、および通信システムの実施の形態を詳細に説明する。
【００１８】
（通信システム１００の一実施例）
図１は、通信システム１００の一実施例を示す説明図である。図１において、通信システム１００は、移動局１１１と基地局１１２と基地局制御装置１１３とを含む無線アクセスネットワーク（ＲＡＮ：Ｒａｄｉｏ  Ａｃｃｅｓｓ  Ｎｅｔｗｏｒｋ）１１０と、ネットワーク１２０と、通信制御装置１３０と、を有するシステムである。
【００１９】
移動局１１１は、基地局１１２に対して電波を送受信することにより基地局１１２と通信するコンピュータである。ここで、電波は、変調により任意の信号を示す波形にされている。移動局１１１は、例えば、基地局１１２に対して電波を送信する場合には、電波の送信電力を初期値から段階的に上げながら電波を送信して、基地局１１２への接続を試行する。
【００２０】
ここで、接続とは、例えば、移動局１１１と基地局１１２とが、相互に、電波を受信した場合に電波から信号を復元することができる状態であることを表す。以下の説明では、「電波から信号を復元することができる」ことを、単に「電波を受信することができる」と表記する場合がある。また、以下の説明では、「電波から信号を復元することができない」ことを、単に「電波を受信することができない」と表記する場合がある。
【００２１】
例えば、「基地局１１２が移動局１１１から電波を受信したが電波をノイズと区別することができず電波から信号を復元することができない」ことを、「基地局１１２が移動局１１１から電波を受信することができない」と表記する場合がある。
【００２２】
基地局１１２は、通信圏内に存在する移動局１１１に対して電波を送受信することにより移動局１１１と通信する装置である。また、基地局１１２は、有線により基地局制御装置１１３と接続し、基地局制御装置１１３と通信する。基地局１１２は、例えば、基地局制御装置１１３の制御に従って、通信圏内に電波を送信する。また、基地局１１２は、移動局１１１から基地局１１２に到達した電波の強度がノイズフロア以上である場合に、移動局１１１から電波を受信することができる。
【００２３】
ノイズフロアとは、例えば、基地局１１２におけるノイズの強度である。ノイズフロアは、基地局１１２における上り通信が輻輳しているほど大きい値になる。換言すれば、基地局１１２は、移動局１１１がノイズフロア以上の強度の電波を基地局１１２に到達させることができる送信電力で電波を送信した場合に、移動局１１１から電波を受信することができる。
【００２４】
基地局制御装置１１３は、有線で基地局１１２と接続し、基地局１１２を制御する装置である。また、基地局制御装置１１３は、ネットワーク１２０を介して、通信制御装置１３０と通信する。基地局制御装置１１３は、例えば、基地局１１２に、一定時間間隔で当該基地局１１２が存在する位置登録エリアの識別子を、当該基地局１１２の通信圏内の移動局１１１に対して送信させる。
【００２５】
また、基地局制御装置１１３は、例えば、通信制御装置１３０から基地局１１２に送信させるデータを含む制御コマンドを受信して、当該基地局１１２に、当該データを、当該基地局１１２の通信圏内の移動局１１１に対して送信させる。図１の例では、基地局制御装置１１３と基地局１１２とを接続する信号線は、表記を省略されている。また、基地局制御装置１１３は、基地局１１２に備えられていてもよい。
【００２６】
通信制御装置１３０は、移動局１１１に送信電力の初期値を設定させる設定要求を、基地局１１２から通信圏内の移動局１１１に対して送信させることにより、基地局１１２の通信圏内の移動局１１１に送信電力の初期値を設定させるコンピュータである。通信制御装置１３０は、例えば、基地局制御装置１１３に設定要求を送信することにより、基地局１１２に設定要求を送信させる。ここで、通信制御装置１３０は、基地局１１２の上り通信の輻輳状態を判定し、基地局１１２の上り通信が輻輳しているほど、移動局１１１に送信電力の初期値を大きい値に設定させる。
【００２７】
図１の例では、移動局１１１は、例えば、送信電力の初期値として、事業者によって規定された「２ｄＢｍ」を設定している。ｄＢｍとは、例えば、１ｍＷの電力を０ｄＢｍとした場合の相対的な電力を示す単位である。そのため、移動局１１１は、基地局１１２に電波を送信する場合には、電波の送信電力を初期値「２ｄＢｍ」から、例えば、「２ｄＢｍ」ずつ段階的に上げながら電波を送信して、基地局１１２への接続を試行する。
【００２８】
また、図１の例では、基地局１１２は、上り通信が輻輳しているため、移動局１１１から、例えば、「７ｄＢｍ」より小さい送信電力で送信された電波については、受信することができない。換言すれば、移動局１１１は、「７ｄＢｍ」より小さい送信電力で基地局１１２に電波を送信した場合には、基地局１１２と接続することができない。
【００２９】
また、図１の例では、通信制御装置１３０は、基地局１１２の上り通信が所定の輻輳状態より輻輳しているか否かを判定する。ここで、通信制御装置１３０は、所定の輻輳状態より輻輳していない場合には、移動局１１１に送信電力の初期値として、事業者によって規定された「２ｄＢｍ」を設定させる設定要求を、基地局１１２に通信圏内の移動局１１１に対して送信させる。一方で、通信制御装置１３０は、所定の輻輳状態より輻輳している場合、移動局１１１に送信電力の初期値として、「７ｄＢｍ」より大きい「８ｄＢｍ」を設定させる設定要求を、基地局１１２に通信圏内の移動局１１１に対して送信させる。
【００３０】
図１において、通信制御装置１３０は、基地局１１２の上り通信の輻輳状態が所定の輻輳状態より輻輳しているため、移動局１１１に送信電力の初期値として「８ｄＢｍ」を設定させる設定要求を、基地局１１２に通信圏内の移動局１１１に対して送信させる。ここで、複数の移動局１１１が交通機関によって運ばれて、位置登録エリアＡ１から位置登録エリアＡ２に移行したとする。この場合、移動局１１１は、基地局１１２から送信されている位置登録エリアＡ２の識別子とともに、基地局１１２から送信された設定要求を受信する。
【００３１】
移動局１１１は、受信した設定要求に従って、送信電力の初期値を、事業者によって規定された「２ｄＢｍ」から、設定要求された「８ｄＢｍ」に変更する。次に、移動局１１１は、受信した位置登録エリアＡ２の識別子によって、自局が位置登録エリアＡ１から位置登録エリアＡ２に移行したことを検出し、送信電力を初期値「８ｄＢｍ」から段階的に上げながら基地局１１２への接続を試行する。移動局１１１は、１回目の基地局１１２への接続の試行において、送信電力が「７ｄＢｍ」以上であるため、基地局１１２が電波を受信することができ、基地局１１２への接続に成功する。
【００３２】
ここで、移動局１１１は、初期値を変更しなかった場合には、送信電力を「２ｄＢｍ」から「２ｄＢｍ」ずつ段階的に上げて基地局１１２への接続を試行することになる。そのため、移動局１１１は、１回目から３回目までの試行では、「７ｄＢｍ」より小さい送信電力で、基地局１１２が受信することができない電波を送信することになる。そして、移動局１１１は、４回目の試行で、「７ｄＢｍ」以上の送信電力で、基地局１１２が受信することができる電波を送信して、基地局１１２との接続に成功することになる。一方で、移動局１１１は、初期値を変更した場合には、１回目の試行で、「７ｄＢｍ」以上の送信電力で、基地局１１２が受信することができる電波を送信して、基地局１１２との接続に成功することになる。
【００３３】
このように、移動局１１１は、送信電力の初期値を、事業者によって規定された「２ｄＢｍ」より大きい「８ｄＢｍ」に設定することにより、基地局１１２への接続の試行回数を減らすことができる。結果として、通信制御装置１３０は、移動局１１１から基地局１１２に電波が送信される回数を減らして、基地局１１２における上り通信の輻輳を抑制することができるとともに、電波の干渉を抑制して基地局１１２におけるノイズフロアを低減することができる。
【００３４】
また、通信制御装置１３０は、移動局１１１から基地局１１２に電波が送信される回数を減らして、移動局１１１の消費電力を低減することができる。また、通信制御装置１３０は、移動局１１１から基地局１１２に電波が送信される回数を減らして、基地局１１２への接続に成功するまでにかかる時間を短縮することができる。
【００３５】
図１の例では、交通機関によって複数の移動局１１１が運ばれて位置登録エリアの境界Ｂを通過することにより基地局１１２の上り通信が輻輳した場合を例に挙げたが、これに限らない。例えば、スタジアムやコンサート会場においてイベントが開催されることにより複数の移動局１１１が基地局１１２への接続を試行して、基地局１１２の上り通信が輻輳した場合であってもよい。また、初詣の神社において複数の移動局１１１が基地局１１２への接続を試行して、基地局１１２の上り通信が輻輳した場合であってもよい。また、交通機関の事故等により複数の移動局１１１が基地局１１２への接続を試行して、基地局１１２の上り通信が輻輳した場合であってもよい。
【００３６】
（通信システム１００のハードウェア例）
図２は、通信システム１００のハードウェア例を示す説明図である。
【００３７】
図２において、通信システム１００は、移動局１１１と基地局１１２と基地局制御装置１１３とを含むＲＡＮ１１０と、インターネット２１０とコアネットワーク２２０とを含むネットワーク１２０と、通信制御装置１３０と、を有するシステムである。
【００３８】
移動局１１１は、基地局１１２に対して電波を送受信することにより基地局１１２と通信する。移動局１１１は、例えば、移動局１１１の利用者によって、基地局１１２に対して電波を送信する送信要求が入力された場合に、基地局１１２に対して電波を送信する。ここで、送信要求とは、例えば、基地局１１２を介して他の移動局１１１と通話する通話要求である。
【００３９】
また、移動局１１１は、基地局１１２から送信されている位置登録エリアの識別子を受信することにより、自局が位置登録エリアの境界を通過したことを検出する。そして、移動局１１１は、位置登録エリアの境界を通過したことを検出した場合は、自局が存在する位置登録エリアを登録する登録要求を基地局１１２を介して交換機２２３に送信するために、基地局１１２に電波を送信する。ここで、移動局１１１は、基地局１１２に対して電波を送信する場合には、電波の送信電力を初期値から段階的に上げながら電波を送信して、基地局１１２への接続を試行する。
【００４０】
基地局１１２は、通信圏内に存在する移動局１１１に対して電波を送受信することにより移動局１１１と通信する装置である。また、基地局１１２は、有線により基地局制御装置１１３と接続し、基地局制御装置１１３と通信する。基地局１１２は、例えば、基地局制御装置１１３の制御に従って、一定時間間隔で、自局が存在する位置登録エリアの識別子を、自局の通信圏内の移動局１１１に対して送信する。
【００４１】
基地局制御装置１１３は、有線により基地局１１２と接続し、基地局１１２を制御する。また、基地局制御装置１１３は、ネットワーク１２０を介して、通信制御装置１３０と通信する。基地局制御装置１１３は、例えば、基地局１１２に、一定時間間隔で当該基地局１１２が存在する位置登録エリアの識別子を、当該基地局１１２の通信圏内の移動局１１１に対して送信させる。また、基地局制御装置１１３は、例えば、通信制御装置１３０から制御コマンドを受信して、当該基地局１１２に、基地局１１２に送信させるデータを、当該基地局１１２の通信圏内の移動局１１１に対して送信させる。
【００４２】
ネットワーク１２０は、通信制御装置１３０と基地局１１２とを接続する通信網である。インターネット２１０は、通信制御装置１３０とコアネットワーク２２０とを接続する通信網である。コアネットワーク２２０は、インターネット２１０と基地局制御装置１１３とを接続する通信網である。
【００４３】
コアネットワーク２２０は、交換機２２３と、ＨＬＲ２２１（Ｈｏｍｅ  Ｌｏｃａｔｉｏｎ  Ｒｅｇｉｓｔｅｒ）と、ＣＤＬ２２２（Ｃａｌｌ  Ｄｅｔａｉｌ  Ｌｏｇ）と、を含む。交換機２２３は、移動局１１１と通信制御装置１３０との通信を制御するコンピュータである。ＨＬＲ２２１は、移動局１１１に固有の電話番号や移動局１１１の識別子を記憶するデータベースである。ＣＤＬ２２２は、基地局１１２の無線パラメータ、無線トラフィック情報を収集するＬｏｇである。
【００４４】
通信制御装置１３０は、移動局１１１に送信電力の初期値を設定させる設定要求を基地局１１２から送信させることにより、基地局１１２の通信圏内の移動局１１１に送信電力の初期値を設定させる。ここで、通信制御装置１３０は、基地局１１２の上り通信の輻輳状態を判定し、基地局１１２の上り通信が輻輳しているほど、移動局１１１に送信電力の初期値を大きい値に設定させる。通信制御装置１３０は、例えば、基地局制御装置１１３に設定要求を送信することにより、基地局制御装置１１３に基地局１１２を制御させて、基地局１１２に設定要求を通信圏内の移動局１１１に対して送信させる。また、通信制御装置１３０は、交換機２２３と一体であってもよい。
【００４５】
（通信制御装置１３０のハードウェア構成例）
図３は、実施の形態にかかる通信制御装置１３０のハードウェア構成例を示すブロック図である。
【００４６】
図３において、通信制御装置１３０は、ＣＰＵ（Ｃｅｎｔｒａｌ  Ｐｒｏｃｅｓｓｉｎｇ  Ｕｎｉｔ）３０１と、ＲＯＭ（Ｒｅａｄ  Ｏｎｌｙ  Ｍｅｍｏｒｙ）３０２と、ＲＡＭ（Ｒａｎｄｏｍ  Ａｃｃｅｓｓ  Ｍｅｍｏｒｙ）３０３と、磁気ディスクドライブ（Ｈａｒｄ  Ｄｉｓｋ  Ｄｒｉｖｅ）３０４と、磁気ディスク３０５と、光ディスクドライブ３０６と、光ディスク３０７と、ディスプレイ３０８と、Ｉ／Ｆ（Ｉｎｔｅｒｆａｃｅ）３０９と、キーボード３１０と、マウス３１１と、スキャナ３１２と、プリンタ３１３と、を備えている。また、各構成部はバス３２０によってそれぞれ接続されている。
【００４７】
ここで、ＣＰＵ３０１は、通信制御装置１３０の全体の制御を司る。ＲＯＭ３０２は、ブートプログラムなどのプログラムを記憶している。ＲＡＭ３０３は、ＣＰＵ３０１のワークエリアとして使用される。磁気ディスクドライブ３０４は、ＣＰＵ３０１の制御に従って磁気ディスク３０５に対するデータのリード／ライトを制御する。磁気ディスク３０５は、磁気ディスクドライブ３０４の制御で書き込まれたデータを記憶する。
【００４８】
光ディスクドライブ３０６は、ＣＰＵ３０１の制御に従って光ディスク３０７に対するデータのリード／ライトを制御する。光ディスク３０７は、光ディスクドライブ３０６の制御で書き込まれたデータを記憶したり、光ディスク３０７に記憶されたデータをコンピュータに読み取らせたりする。
【００４９】
ディスプレイ３０８は、カーソル、アイコンあるいはツールボックスをはじめ、文書、画像、機能情報などのデータを表示する。このディスプレイ３０８は、例えば、液晶ディスプレイ、プラズマディスプレイなどを採用することができる。
【００５０】
インターフェース（以下、「Ｉ／Ｆ」と略する。）３０９は、通信回線を通じてＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット２１０などのネットワーク１２０に接続され、このネットワーク１２０を介して他の装置に接続される。そして、Ｉ／Ｆ３０９は、ネットワーク１２０と内部のインターフェースを司り、外部装置からのデータの入出力を制御する。Ｉ／Ｆ３０９には、例えばモデムやＬＡＮアダプタなどを採用することができる。
【００５１】
キーボード３１０は、文字、数字、各種指示などの入力のためのキーを備え、データの入力をおこなう。また、タッチパネル式の入力パッドやテンキーなどであってもよい。マウス３１１は、カーソルの移動や範囲選択、あるいはウィンドウの移動やサイズの変更などをおこなう。ポインティングデバイスとして同様に機能を備えるものであれば、トラックボールやジョイスティックなどであってもよい。
【００５２】
スキャナ３１２は、画像を光学的に読み取り、通信制御装置１３０内に画像データを取り込む。なお、スキャナ３１２は、ＯＣＲ（Ｏｐｔｉｃａｌ  Ｃｈａｒａｃｔｅｒ  Ｒｅａｄｅｒ）機能を持たせてもよい。また、プリンタ３１３は、画像データや文書データを印刷する。プリンタ３１３には、例えば、レーザプリンタやインクジェットプリンタを採用することができる。なお、光ディスクドライブ３０６、光ディスク３０７、ディスプレイ３０８、キーボード３１０、マウス３１１、スキャナ３１２、およびプリンタ３１３の少なくともいずれか１つは、なくてもよい。
【００５３】
（Ｉｎｉｔ＿Ｐｏｗｅｒ規定値テーブル４００の記憶内容）
次に、図４を用いて、Ｉｎｉｔ＿Ｐｏｗｅｒ規定値テーブル４００の記憶内容の一例について説明する。Ｉｎｉｔ＿Ｐｏｗｅｒ規定値テーブル４００は、例えば、上述したＲＯＭ３０２、磁気ディスク３０５、光ディスク３０７などにより実現される。
【００５４】
図４は、Ｉｎｉｔ＿Ｐｏｗｅｒ規定値テーブル４００の記憶内容の一例を示す説明図である。図４に示すように、Ｉｎｉｔ＿Ｐｏｗｅｒ規定値テーブル４００は、Ａｃｋ率項目に対応付けて、Ｉｎｉｔ＿Ｐｏｗｅｒ項目を有し、Ａｃｋ率αごとにＩｎｉｔ＿Ｐｏｗｅｒ項目に情報が設定されることによりレコードを記憶する。
【００５５】
Ａｃｋ率項目には、Ａｃｋ率αの範囲が記憶される。Ａｃｋ率αとは、基地局１１２の上り通信の輻輳の程度を示す情報の一例であり、例えば、基地局１１２から通信圏内の各移動局１１１に電波を送信した場合に各移動局１１１から基地局１１２に応答が送信された割合である。ここで、Ａｃｋ率αは、値が大きいほど、輻輳の程度が低いことを示す。
【００５６】
Ｉｎｉｔ＿Ｐｏｗｅｒ項目には、Ａｃｋ率項目に記憶されたＡｃｋ率αである場合に移動局１１１に送信電力の初期値として設定させる値を決定するためのパラメータであるＩｎｉｔ＿Ｐｏｗｅｒが記憶される。また、Ｉｎｉｔ＿Ｐｏｗｅｒは、２回目以降の基地局１１２への接続の試行において送信電力の値を決定するためのパラメータでもある。例えば、送信電力は、Ｉｎｉｔ＿Ｐｏｗｅｒを下記式（１）に代入することによって決定される。
【００５７】
送信電力＝Ｏｆｆｓｅｔ＿Ｐｏｗｅｒ−Ｒｘ＿Ｐｏｗｅｒ＋Ｉｎｉｔ＿Ｐｏｗｅｒ＋（試行回数×電力増加量）                                              ・・・（１）
Ｏｆｆｓｅｔ＿Ｐｏｗｅｒ：規定値（固定値）
Ｒｘ＿Ｐｏｗｅｒ：携帯端末での受信電力
【００５８】
上記式（１）では、Ｉｎｉｔ＿Ｐｏｗｅｒが大きいほど、送信電力の初期値が大きくなる。Ｉｎｉｔ＿Ｐｏｗｅｒ項目には、Ａｃｋ率項目に記憶されたＡｃｋ率αである場合に、移動局１１１に送信電力の初期値として設定させる値が記憶されていてもよい。
【００５９】
例えば、レコード４０１には、Ａｃｋ率αの範囲「９５％≦α」と、Ｉｎｉｔ＿Ｐｏｗｅｒ「０ｄＢｍ」と、が対応付けて記憶されている。また、例えば、レコード４０２には、Ａｃｋ率αの範囲「９０％≦α＜９５％」と、Ｉｎｉｔ＿Ｐｏｗｅｒ「３ｄＢｍ」と、が対応付けて記憶されている。
【００６０】
（Ｉｎｉｔ＿Ｐｏｗｅｒ規定値記録テーブル５００の記憶内容）
次に、図５を用いて、Ｉｎｉｔ＿Ｐｏｗｅｒ規定値記録テーブル５００の記憶内容の一例について説明する。Ｉｎｉｔ＿Ｐｏｗｅｒ規定値記録テーブル５００は、例えば、上述したＲＯＭ３０２、磁気ディスク３０５、光ディスク３０７などにより実現される。
【００６１】
図５は、Ｉｎｉｔ＿Ｐｏｗｅｒ規定値記録テーブル５００の記憶内容の一例を示す説明図である。図５に示すように、Ｉｎｉｔ＿Ｐｏｗｅｒ規定値記録テーブル５００は、月日項目に対応付けて、曜日項目と、時刻項目と、Ｉｎｉｔ＿Ｐｏｗｅｒ項目と、を有し、月日ごとに各項目に情報が設定されることによりレコードを記憶する。
【００６２】
月日項目には、月日が記憶される。曜日項目には、月日項目の月日が何曜日であるかが記憶される。時刻項目には、月日項目の月日における時刻が記憶される。
【００６３】
Ｉｎｉｔ＿Ｐｏｗｅｒ項目には、月日項目と曜日項目と時刻項目とが示す月日の時刻になった場合に、移動局１１１に送信電力の初期値として設定させる値を決定するためのパラメータが記憶される。図５の例では、パラメータは、値が大きいほど、初期値を大きくすることができる。Ｉｎｉｔ＿Ｐｏｗｅｒ項目には、移動局１１１に送信電力の初期値として設定させる値が記憶されていてもよい。例えば、レコード５０１には、月日「１０／２」の曜日「水曜日」の時刻「３：３０」と、Ｉｎｉｔ＿Ｐｏｗｅｒ「０ｄＢｍ」と、が対応付けて記憶されている。
【００６４】
Ｉｎｉｔ＿Ｐｏｗｅｒ規定値記録テーブル５００は、通信制御装置１３０の利用者によって作成されてもよい。また、Ｉｎｉｔ＿Ｐｏｗｅｒ規定値記録テーブル５００は、通信制御装置１３０によって自動で作成されてもよい。
【００６５】
（移動局１１１のハードウェア構成例）
図６は、移動局１１１のハードウェア構成例を示すブロック図である。図６において、移動局１１１は、プロセッサ６０１、記憶装置６０２、入力装置６０３、出力装置６０４、および通信装置６０５が、バス６１０に接続されている。
【００６６】
プロセッサ６０１は、移動局１１１の全体の制御を司る。また、プロセッサ６０１は、記憶装置６０２に記憶されているＯＳ（Ｏｐｅｒａｔｉｎｇ  Ｓｙｓｔｅｍ）を実行することで、記憶装置６０２内のデータを読み出したり、実行結果となるデータを記憶装置６０２に書き込んだりする。
【００６７】
記憶装置６０２は、ＲＯＭ、ＲＡＭ、フラッシュメモリ、磁気ディスクドライブなどであり、プロセッサ６０１のワークエリアになったり、ＯＳの実行により得られたデータを含む各種データを記憶したりする。
【００６８】
入力装置６０３は、キーボード、マウス、タッチパネルなどユーザの操作により、各種データの入力をおこなうインターフェースである。出力装置６０４は、プロセッサ６０１の指示により、データを出力するインターフェースである。出力装置６０４には、ディスプレイやプリンタが挙げられる。
【００６９】
通信装置６０５は、アンテナを有する。通信装置６０５は、アンテナを用いて電波を送受信し、基地局１１２と通信する。通信装置６０５は、基地局１１２を介して外部からデータを受信したり、外部にデータを送信したりするインターフェースである。
【００７０】
移動局１１１としては、例えば、スマートフォン、ＰＨＳ（Ｐｅｒｓｏｎａｌ  Ｈａｎｄｙｐｈｏｎｅ  Ｓｙｓｔｅｍ）、タブレット型端末などのＵＥ（Ｕｓｅｒ  Ｅｑｕｉｐｍｅｎｔ）が挙げられる。
【００７１】
（通信制御装置１３０の機能的構成例）
次に、図７を用いて、通信制御装置１３０の機能的構成例について説明する。
【００７２】
図７は、通信制御装置１３０の機能的構成を示すブロック図である。通信制御装置１３０は、判定部７０１と、制御部７０２と、取得部７０３と、作成部７０４と、記憶部７０５と、を含む。
【００７３】
判定部７０１と、制御部７０２と、取得部７０３と、作成部７０４と、記憶部７０５とは、例えば、図３に示したＲＯＭ３０２、ＲＡＭ３０３、磁気ディスク３０５、光ディスク３０７などの記憶装置６０２に記憶されたプログラムをＣＰＵ３０１に実行させることにより、または、Ｉ／Ｆ３０９により、その機能を実現する。
【００７４】
通信制御装置１３０の動作としては、例えば、現在の基地局１１２の上り通信の輻輳状態を判定し、判定結果に応じて基地局１１２に送信電力の初期値を設定させる動作がある。また、通信制御装置１３０の動作としては、例えば、時間帯に応じて基地局１１２に送信電力の初期値を設定させる動作がある。
【００７５】
以下の説明では、判定結果に応じて基地局１１２に送信電力の初期値を設定させる動作を動作例１と表記する場合があり、時間帯に応じて基地局１１２に送信電力の初期値を設定させる動作を動作例２と表記する場合がある。
【００７６】
＜動作例１＞
まず、判定結果に応じて基地局１１２に送信電力の初期値を設定させる動作例１における通信制御装置１３０の動作について説明する。
【００７７】
判定部７０１は、基地局１１２における上り通信が複数の輻輳状態の中のいずれの輻輳状態であるかを判定する。取得部７０３は、例えば、現在の基地局１１２におけるＡｃｋの数などを取得し、作成部７０４にてＡｃｋ率を計算する。次に、判定部７０１は、取得したＡｃｋ率が、Ｉｎｉｔ＿Ｐｏｗｅｒ規定値テーブル４００のＡｃｋ率項目のＡｃｋ率の範囲のうち、いずれの範囲に含まれるかを判定する。取得部７０３によって取得されたデータ、作成部７０４にて計算した結果や判定部７０１による判定結果は、例えば、ＲＡＭ３０３、磁気ディスク３０５、光ディスク３０７などの記憶領域に記憶される。
【００７８】
これにより、制御部７０２は、判定部７０１によって判定されたＡｃｋ率の範囲に対応するＩｎｉｔ＿Ｐｏｗｅｒ規定値テーブル４００のＩｎｉｔ＿Ｐｏｗｅｒ項目を参照して、Ｉｎｉｔ＿Ｐｏｗｅｒを特定することができる。そして、制御部７０２は、移動局１１１に、送信電力の初期値として設定させる初期値を決定するためのＩｎｉｔ＿Ｐｏｗｅｒを含む設定要求を送信することができる。
【００７９】
制御部７０２は、移動局１１１に、判定部７０１によって判定された輻輳状態の輻輳度合いが大きいほど大きい値を初期値に設定させる。制御部７０２は、例えば、送信電力を初期値から段階的に上げながら基地局１１２への接続を試行する移動局１１１に、判定部７０１によって第１の輻輳状態であると判定された場合には第１の値を初期値に設定させる。また、制御部７０２は、判定部７０１によって第１の輻輳状態より輻輳している第２の輻輳状態であると判定された場合には第１の値より大きい第２の値を初期値に設定させる。
【００８０】
制御部７０２は、より具体的には、判定部７０１によって判定されたＡｃｋ率の範囲に対応するＩｎｉｔ＿Ｐｏｗｅｒ規定値テーブル４００のＩｎｉｔ＿Ｐｏｗｅｒ項目を参照して、Ｉｎｉｔ＿Ｐｏｗｅｒを特定する。次に、制御部７０２は、特定したＩｎｉｔ＿Ｐｏｗｅｒを含む設定要求を基地局制御装置１１３に送信して、基地局制御装置１１３の制御によって基地局１１２に設定要求を通信圏内の移動局１１１に対して送信させる。
【００８１】
これにより、制御部７０２は、移動局１１１に、上り通信の輻輳状態の輻輳度合いが大きいほど大きい値を初期値に設定させることができる。結果として、制御部７０２は、移動局１１１から基地局１１２に電波が送信される回数を減らして、基地局１１２における上り通信の輻輳を抑制することができるとともに、電波の干渉を抑制して基地局１１２におけるノイズフロアを低減することができる。また、制御部７０２は、移動局１１１から基地局１１２に電波が送信される回数を減らして、移動局１１１の消費電力を低減することができる。
【００８２】
＜動作例２＞
次に、時間帯に応じて基地局１１２に送信電力の初期値を設定させる動作例２における通信制御装置１３０の動作について説明する。
【００８３】
取得部７０３は、複数の時間帯における上り通信の輻輳の程度を示す情報を取得する。輻輳の程度を示す情報とは、例えば、上述したＡｃｋの数などである。取得部７０３は、例えば、「１１／５」の「月曜日」の「７：００〜９：００」におけるＡｃｋの数を取得し、作成部７０２で計算したＡｃｋ率「７０％」を得る。取得部７０３によって取得されたデータや作成部７０２で計算したＡｃｋ率は、例えば、ＲＡＭ３０３、磁気ディスク３０５、光ディスク３０７などの記憶領域に記憶される。これにより、取得部７０３は、複数の時間帯のうち、どの時間帯にどの程度基地局１１２の上り通信が輻輳するかを特定することができる。
【００８４】
作成部７０４は、Ａｃｋ率の計算だけでなく、取得部７０３によって取得された情報に基づいて、複数の時間帯と、複数の時間帯での上り通信の輻輳の程度が大きいほど大きい値と、を対応付けた対応情報を作成する。ここで、対応情報とは、例えば、上述したＩｎｉｔ＿Ｐｏｗｅｒ規定値記録テーブル５００の各レコードに記憶された情報である。
【００８５】
作成部７０４は、例えば、取得部７０３によって取得された「１１／５」の「月曜日」の「７：００〜９：００」におけるＡｃｋ率「７０％」を参照して、１週間後の「１１／１２」の「月曜日」の「７：００〜９：００」におけるＡｃｋ率を「７０％」と推定する。次に、作成部７０４は、Ｉｎｉｔ＿Ｐｏｗｅｒ規定値テーブル４００を参照して、Ａｃｋ率「７０％」が含まれるＡｃｋ率項目に対応するＩｎｉｔ＿Ｐｏｗｅｒ項目の値「１５ｄＢｍ」を取得する。
【００８６】
そして、作成部７０４は、「１１／５」の「月曜日」の「７：００〜９：００」に、Ｉｎｉｔ＿Ｐｏｗｅｒ項目の値「１５ｄＢｍ」を対応付けた情報を作成する。これにより、作成部７０４は、時間帯ごとに移動局１１１に送信電力の初期値として設定させる値を決定することができる。
【００８７】
記憶部７０５は、作成部７０４によって作成された対応情報を記憶する。記憶部７０５は、例えば、Ｉｎｉｔ＿Ｐｏｗｅｒ規定値記録テーブル５００であって、作成部７０４によって作成された情報をレコードとして記憶する。これにより、制御部７０２は、記憶部７０５に記憶された情報を参照して、移動局１１１に送信電力の初期値として設定させる値を特定することができる。
【００８８】
制御部７０２は、記憶部７０５に記憶された対応情報を参照して、移動局１１１に、現在の時間帯に対応する初期値を送信電力の初期値に設定させる。この場合、取得部７０３により、例えば、送信電力の第１の値と第１の時間帯とを対応付け、第１の値より大きい第２の値と第１の時間帯とは異なる第２の時間帯とを対応付けた対応情報を取得する。
【００８９】
次に、制御部７０２は、取得部７０３によって取得された対応情報を参照して、送信電力を初期値から段階的に上げながら基地局１１２への接続を試行する移動局１１１に、現在の時間帯に対応する値を初期値に設定させる。ここで、第１の時間帯は、基地局１１２における上り通信が第１の輻輳状態となる時間帯である。第２の時間帯は、上り通信が第１の輻輳状態より輻輳している第２の輻輳状態となる時間帯である。制御部７０２は、より具体的には、移動局１１１が初期値を決定するためのパラメータを含む設定要求を移動局１１１へ送信することによって、移動局１１１に初期値を設定させる。
【００９０】
これにより、制御部７０２は、移動局１１１に、上り通信の輻輳状態の輻輳度合いが大きいほど大きい値を初期値に設定させることができる。結果として、制御部７０２は、移動局１１１から基地局１１２に電波が送信される回数を減らして、基地局１１２における上り通信の輻輳を抑制することができるとともに、電波の干渉を抑制して基地局１１２におけるノイズフロアを低減することができる。また、制御部７０２は、移動局１１１から基地局１１２に電波が送信される回数を減らして、移動局１１１の消費電力を低減することができる。
【００９１】
また、制御部７０２は、移動局１１１に、第２の値を初期値に設定させてから所定時間経過後に、第１の値を送信電力の初期値に設定させてもよい。これにより、制御部７０２は、移動局１１１が基地局１１２の通信圏内から出た場合であっても、一定時間後に、移動局１１１に送信電力の初期値を事業者によって規定された値に戻させることができる。
【００９２】
（移動局１１１の機能的構成例）
次に、図８を用いて、移動局１１１の機能的構成例について説明する。図８は、移動局１１１の機能的構成を示すブロック図である。移動局１１１は、通信部８０１と、設定部８０２と、を有する。通信部８０１と設定部８０２とは、例えば、図６に示した記憶装置６０２に記憶されたプログラムをプロセッサ６０１に実行させることにより、または、通信装置６０５により、その機能を実現する。
【００９３】
通信部８０１は、送信電力を初期値から段階的に上げながら基地局１１２への接続を試行する。通信部８０１は、例えば、電波の送信電力を初期値から段階的に上げながら電波を基地局１１２に送信し、電波を基地局１１２が受信することができた場合に、基地局１１２と接続する。これにより、通信部８０１は、基地局１１２と通信することができる。
【００９４】
設定部８０２は、通信制御装置１３０による制御に従って、初期値を設定する。設定部８０２は、例えば、上述した動作例１や動作例２において通信制御装置１３０が基地局１１２に送信させた設定要求を受信する。次に、設定部８０２は、受信した設定要求に含まれるＩｎｉｔ＿Ｐｏｗｅｒを、上記式（１）に代入することにより、送信電力の初期値を設定する。
【００９５】
これにより、移動局１１１は、移動局１１１から基地局１１２に電波が送信される回数を減らして、基地局１１２における上り通信の輻輳を抑制することができるとともに、電波の干渉を抑制して基地局１１２におけるノイズフロアを低減することができる。また、移動局１１１は、移動局１１１から基地局１１２に電波が送信される回数を減らして、移動局１１１の消費電力を低減することができる。
【００９６】
（通信制御装置１３０の動作例１の具体例）
次に、図９〜図１１を用いて、通信制御装置１３０の動作例１の具体例について説明する。
【００９７】
図９は、移動局１１１のショートメッセージ受信の具体例を示す説明図である。図９において、交換機２２３は、基地局１１２を介して、位置登録エリアに存在する移動局１１１にページングを送信する。移動局１１１は、ページングを受信すると、当該移動局１１１を宛先にするショートメッセージがあるか否かを判定する。
【００９８】
次に、移動局１１１は、当該移動局１１１を宛先にするショートメッセージがある場合は、ショートメッセージを受信するために、基地局１１２を介して交換機２２３にリクエストを送信する。交換機２２３は、リクエストを受信すると、基地局１１２を介して移動局１１１にショートメッセージを送信する。移動局１１１は、ショートメッセージを受信すると、基地局１１２を介して交換機２２３にＡｃｋを送信する。ここで、交換機２２３は、送信したページングの数、および移動局１１１から送信されたリクエストやＡｃｋの数を、ＣＤＬ２２２に格納しておく。
【００９９】
図１０および図１１は、通信制御装置１３０の動作例１の具体例を示す説明図である。図１０において、（１）交換機２２３は、図９に示したように移動局１１１と通信し、交換機２２３から送信されたページングの数、および移動局１１１から送信されたリクエストやＡｃｋの数を、ＣＤＬ２２２に格納している。
【０１００】
（２）通信制御装置１３０は、交換機２２３から、ＣＤＬ２２２に格納された交換機２２３から送信されたページングの数、および移動局１１１から送信されたリクエストやＡｃｋの数を、取得する。次に、通信制御装置１３０は、輻輳の程度を示す情報として、Ａｃｋ率αを算出する。
【０１０１】
通信制御装置１３０は、例えば、Ａｃｋ率αを（リクエストやＡｃｋの数）／（ページングの数）×１００として算出する。これにより、通信制御装置１３０は、基地局１１２の輻輳状態を判定することができる。次に、図１１の説明に移行する。
【０１０２】
図１１において、（３）通信制御装置１３０は、（２）で算出したＡｃｋ率αに基づいて、基地局１１２の通信圏内の移動局１１１に送信する設定要求に含めるＩｎｉｔ＿Ｐｏｗｅｒを取得する。通信制御装置１３０は、例えば、（２）でＡｃｋ率α「７０％」を算出した場合、Ｉｎｉｔ＿Ｐｏｗｅｒ規定値テーブル４００を参照して、Ｉｎｉｔ＿Ｐｏｗｅｒ「１５ｄＢｍ」を取得する。
【０１０３】
（４）通信制御装置１３０は、取得したＩｎｉｔ＿Ｐｏｗｅｒである１５ｄＢｍを含む設定要求を基地局制御装置１１３に送信し、基地局制御装置１１３の制御によって基地局１１２から通信圏内の移動局１１１に設定要求を送信させる。移動局１１１は、設定要求を受信すると、設定要求に含まれるＩｎｉｔ＿Ｐｏｗｅｒを上記式（１）に代入することにより、送信電力の初期値を設定する。
【０１０４】
これにより、通信制御装置１３０は、移動局１１１に、現在の基地局１１２の上り通信の輻輳状態の輻輳度合いが大きいほど大きい値を初期値に設定させることができる。結果として、通信制御装置１３０は、移動局１１１から基地局１１２に電波が送信される回数を減らして、基地局１１２における上り通信の輻輳を抑制することができるとともに、電波の干渉を抑制して基地局１１２におけるノイズフロアを低減することができる。また、通信制御装置１３０は、移動局１１１から基地局１１２に電波が送信される回数を減らして、移動局１１１の消費電力を低減することができる。
【０１０５】
具体的には、通信制御装置１３０は、交通機関によって複数の移動局１１１が運ばれて位置登録エリアの境界を通過することにより複数の移動局１１１が基地局１１２に接続する場合において、上り通信の輻輳を抑制することができる。また、通信制御装置１３０は、交通機関の事故等により複数の移動局１１１が基地局１１２に接続する場合においても、上り通信の輻輳を抑制することができる。
【０１０６】
換言すれば、通信制御装置１３０は、基地局１１２が輻輳する時間帯を予め予測しておくことが困難な場合であっても、リアルタイムに基地局１１２の輻輳状態を判定して、基地局１１２の上り通信が輻輳した場合には上り通信の輻輳を抑制することができる。
【０１０７】
（通信制御装置１３０の基本設定処理手順）
次に、図１２を用いて、通信制御装置１３０の基本設定処理手順の一例について説明する。通信制御装置１３０の基本設定処理は、上述した動作例１に対応する処理である。
【０１０８】
図１２は、通信制御装置１３０の基本設定処理手順の一例を示すフローチャートである。図１２において、通信制御装置１３０は、基本設定処理の開始指示を受け付けたか否かを判定する（ステップＳ１２０１）。ここで、基本設定処理の開始指示を受け付けていない場合（ステップＳ１２０１：Ｎｏ）、通信制御装置１３０は、ステップＳ１２０１に戻る。
【０１０９】
一方で、基本設定処理の開始指示を受け付けた場合（ステップＳ１２０１：Ｙｅｓ）、通信制御装置１３０は、連続実行設定情報を取得する（ステップＳ１２０２）。ここで、連続実行設定情報とは、例えば、基本設定処理を連続実行するか否かを示す情報であって、ＲＡＭ３０３等の記憶領域に記憶されている。次に、通信制御装置１３０は、ＣＤＬ２２２のデータを取得する（ステップＳ１２０３）。そして、通信制御装置１３０は、ＣＤＬ２２２のデータからＡｃｋ率αを算出する（ステップＳ１２０４）。
【０１１０】
次に、通信制御装置１３０は、Ｉｎｉｔ＿Ｐｏｗｅｒ規定値テーブル４００を参照して、Ａｃｋ率αに対応するＩｎｉｔ＿Ｐｏｗｅｒを取得する（ステップＳ１２０５）。そして、通信制御装置１３０は、Ｉｎｉｔ＿Ｐｏｗｅｒを含む設定要求を移動局１１１に送信する（ステップＳ１２０６）。
【０１１１】
次に、通信制御装置１３０は、連続実行設定情報を参照して、連続実行するか否かを判定する（ステップＳ１２０７）。ここで、連続実行する場合（ステップＳ１２０７：Ｙｅｓ）、通信制御装置１３０は、ステップＳ１２０２に戻る。
【０１１２】
一方で、連続実行しない場合（ステップＳ１２０７：Ｎｏ）、通信制御装置１３０は、基本設定処理を終了する。これにより、通信制御装置１３０は、移動局１１１に送信電力の初期値を設定させることができる。
【０１１３】
（通信制御装置１３０の動作例２の具体例）
次に、図１３および図１４を用いて、通信制御装置１３０の動作例２の具体例について説明する。
【０１１４】
図１３および図１４は、通信制御装置１３０の動作例２の具体例を示す説明図である。図１３において、（５）交換機２２３は、「１１／５」の「月曜日」の「７：００〜９：００」において、図９に示したように移動局１１１と通信している。そして、交換機２２３は、交換機２２３から送信されたページングの数、および移動局１１１から送信されたリクエストやＡｃｋの数を、ＣＤＬ２２２に格納している。
【０１１５】
（６）通信制御装置１３０は、交換機２２３から、「１１／５」の「月曜日」の「７：００〜９：００」において、ＣＤＬ２２２に格納された交換機２２３から送信されたページングの数、および移動局１１１から送信されたリクエストやＡｃｋの数を、取得する。次に、通信制御装置１３０は、「１１／５」の「月曜日」の「７：００〜９：００」における輻輳の程度を示す情報として、Ａｃｋ率α「７０％」を算出する。これにより、通信制御装置１３０は、１週間後の「１１／１２」の「月曜日」の「７：００〜９：００」におけるＡｃｋ率を「７０％」と推定する。
【０１１６】
そして、通信制御装置１３０は、Ｉｎｉｔ＿Ｐｏｗｅｒ規定値テーブル４００を参照して、Ａｃｋ率「７０％」が含まれるＡｃｋ率項目に対応するＩｎｉｔ＿Ｐｏｗｅｒ項目の値「１５ｄＢｍ」を取得する。これにより、通信制御装置１３０は、１週間後の「１１／１２」の「月曜日」の「７：００〜９：００」において、移動局１１１に送信する設定要求に含めるＩｎｉｔ＿Ｐｏｗｅｒ「１５ｄＢｍ」を特定することができる。
【０１１７】
次に、通信制御装置１３０は、Ｉｎｉｔ＿Ｐｏｗｅｒ規定値記録テーブル５００に、「１１／１２」の「月曜日」の「７：００〜９：００」と、Ｉｎｉｔ＿Ｐｏｗｅｒ「１５ｄＢｍ」と、を対応付けたレコードを追加しておく。また、通信制御装置１３０は、他の時間帯においても同様にＩｎｉｔ＿Ｐｏｗｅｒ規定値記録テーブル５００にレコードを追加しておく。次に、図１４の説明に移行する。
【０１１８】
図１４において、（７）通信制御装置１３０は、「１１／１２」の「月曜日」の「７：００〜９：００」になったことを検出する。次に、通信制御装置１３０は、Ｉｎｉｔ＿Ｐｏｗｅｒ規定値記録テーブル５００を参照して、「１１／１２」の「月曜日」の「７：００〜９：００」に対応するＩｎｉｔ＿Ｐｏｗｅｒ「１５ｄＢｍ」を取得する。
【０１１９】
（８）通信制御装置１３０は、取得したＩｎｉｔ＿Ｐｏｗｅｒ「１５ｄＢｍ」を含む設定要求を基地局制御装置１１３に送信し、基地局制御装置１１３の制御によって基地局１１２から通信圏内の移動局１１１に設定要求を送信させる。移動局１１１は、設定要求を受信すると、設定要求に含まれるＩｎｉｔ＿Ｐｏｗｅｒを上記式（１）に代入することにより、送信電力の初期値を設定する。
【０１２０】
これにより、通信制御装置１３０は、移動局１１１に、上り通信の輻輳状態の輻輳度合いが大きいほど大きい値を初期値に設定させることができる。結果として、通信制御装置１３０は、移動局１１１から基地局１１２に電波が送信される回数を減らして、基地局１１２における上り通信の輻輳を抑制することができるとともに、電波の干渉を抑制して基地局１１２におけるノイズフロアを低減することができる。また、通信制御装置１３０は、移動局１１１から基地局１１２に電波が送信される回数を減らして、移動局１１１の消費電力を低減することができる。
【０１２１】
また、通信制御装置１３０は、予め作成しておいたＩｎｉｔ＿Ｐｏｗｅｒ規定値記録テーブル５００を参照して移動局１１１に設定要求を送信するため、基地局１１２の上り通信の輻輳状態を判定する処理にかかる時間を削減して、高速に動作することができる。また、通信制御装置１３０は、予め作成しておいたＩｎｉｔ＿Ｐｏｗｅｒ規定値記録テーブル５００を参照して移動局１１１に設定要求を送信するため、基地局１１２の上り通信が輻輳し始める前から輻輳を防止することができる。
【０１２２】
具体的には、通信制御装置１３０は、通勤ラッシュの時間帯などの複数の移動局１１１が基地局１１２に接続する時間帯において、基地局１１２の上り通信の輻輳を抑制することができる。また、通信制御装置１３０は、スタジアムやコンサート会場においてイベントが開催される時間帯、または神社で初詣が行われている時間帯において、基地局１１２の上り通信の輻輳を抑制することができる。
【０１２３】
（通信制御装置１３０の記録設定処理手順）
次に、図１５および図１６を用いて、通信制御装置１３０の記録設定処理手順の一例について説明する。通信制御装置１３０の記録設定処理は、上述した動作例２に対応する処理であり、Ｉｎｉｔ＿Ｐｏｗｅｒ規定値記録テーブル５００を作成する作成処理と、移動局１１１に送信電力の初期値を設定させる設定処理と、を含む。
【０１２４】
以下では、図１５に、通信制御装置１３０がＩｎｉｔ＿Ｐｏｗｅｒ規定値記録テーブル５００を作成する作成処理手順について示す。また、図１６に、通信制御装置１３０が図１５に示す作成処理によって作成されたＩｎｉｔ＿Ｐｏｗｅｒ規定値記録テーブル５００を参照して移動局１１１に送信電力の初期値を設定させる設定処理手順について示す。
【０１２５】
図１５は、通信制御装置１３０の作成処理手順の一例を示すフローチャートである。図１５において、通信制御装置１３０は、作成処理の開始指示を受け付けたか否かを判定する（ステップＳ１５０１）。ここで、作成処理の開始指示を受け付けていない場合（ステップＳ１５０１：Ｎｏ）、通信制御装置１３０は、ステップＳ１５０１に戻る。
【０１２６】
一方で、作成処理の開始指示を受け付けた場合（ステップＳ１５０１：Ｙｅｓ）、通信制御装置１３０は、連続実行設定情報を取得する（ステップＳ１５０２）。ここで、連続実行設定情報とは、例えば、作成処理を連続実行するか否かを示す情報であって、ＲＡＭ３０３等の記憶領域に記憶されている。次に、通信制御装置１３０は、ＣＤＬ２２２のデータを取得する（ステップＳ１５０３）。そして、通信制御装置１３０は、Ａｃｋ率αを算出する（ステップＳ１５０４）。
【０１２７】
次に、通信制御装置１３０は、Ｉｎｉｔ＿Ｐｏｗｅｒ規定値テーブル４００を参照して、Ａｃｋ率αに対応するＩｎｉｔ＿Ｐｏｗｅｒを取得する（ステップＳ１５０５）。そして、通信制御装置１３０は、Ｉｎｉｔ＿Ｐｏｗｅｒを参照してＩｎｉｔ＿Ｐｏｗｅｒ規定値記録テーブル５００を作成する（ステップＳ１５０６）。
【０１２８】
次に、通信制御装置１３０は、連続実行設定情報を参照して、連続実行するか否かを判定する（ステップＳ１５０７）。ここで、連続実行する場合（ステップＳ１５０７：Ｙｅｓ）、通信制御装置１３０は、ステップＳ１５０２に戻る。
【０１２９】
一方で、連続実行しない場合（ステップＳ１５０７：Ｎｏ）、通信制御装置１３０は、作成処理を終了する。これにより、通信制御装置１３０は、Ｉｎｉｔ＿Ｐｏｗｅｒ規定値記録テーブル５００を作成することができる。
【０１３０】
図１６は、通信制御装置１３０の設定処理手順の一例を示すフローチャートである。図１６において、通信制御装置１３０は、設定処理の開始指示を受け付けたか否かを判定する（ステップＳ１６０１）。ここで、設定処理の開始指示を受け付けていない場合（ステップＳ１６０１：Ｎｏ）、通信制御装置１３０は、ステップＳ１６０１に戻る。
【０１３１】
一方で、設定処理の開始指示を受け付けた場合（ステップＳ１６０１：Ｙｅｓ）、通信制御装置１３０は、連続実行設定情報を取得する（ステップＳ１６０２）。次に、通信制御装置１３０は、ＴｉｍｅｒによりＸ秒待機する（ステップＳ１６０３）。そして、通信制御装置１３０は、Ｉｎｉｔ＿Ｐｏｗｅｒ規定値記録テーブル５００を参照して、現在の時間帯に対応するＩｎｉｔ＿Ｐｏｗｅｒを取得する（ステップＳ１６０４）。
【０１３２】
次に、通信制御装置１３０は、Ｉｎｉｔ＿Ｐｏｗｅｒを取得することができたか否かを判定する（ステップＳ１６０５）。ここで、Ｉｎｉｔ＿Ｐｏｗｅｒを取得することができなかった場合（ステップＳ１６０５：Ｎｏ）、通信制御装置１３０は、ステップＳ１６０２に戻る。
【０１３３】
一方で、Ｉｎｉｔ＿Ｐｏｗｅｒを取得することができた場合（ステップＳ１６０５：Ｙｅｓ）、通信制御装置１３０は、Ｉｎｉｔ＿Ｐｏｗｅｒを含む設定要求を移動局１１１に送信する（ステップＳ１６０６）。
【０１３４】
次に、通信制御装置１３０は、連続実行設定情報を参照して、連続実行するか否かを判定する（ステップＳ１６０７）。ここで、連続実行する場合（ステップＳ１６０７：Ｙｅｓ）、通信制御装置１３０は、ステップＳ１６０２に戻る。
【０１３５】
一方で、連続実行しない場合（ステップＳ１６０７：Ｎｏ）、通信制御装置１３０は、設定処理を終了する。これにより、通信制御装置１３０は、移動局１１１に送信電力の初期値を設定させることができる。
【０１３６】
以上説明したように、開示の通信制御装置１３０は、基地局１１２の上り通信の輻輳状態を判定し、輻輳しているほど移動局１１１に送信電力の初期値として大きな値を設定させる。これにより、開示の通信制御装置１３０は、移動局１１１に、上り通信の輻輳状態の輻輳度合いが大きいほど大きい値を初期値に設定させることができる。
【０１３７】
結果として、開示の通信制御装置１３０は、移動局１１１から基地局１１２に電波が送信される回数を減らして、基地局１１２における上り通信の輻輳を抑制することができる。また、開示の通信制御装置１３０は、移動局１１１から基地局１１２に電波が送信される回数を減らして、電波の干渉を抑制して基地局１１２におけるノイズフロアを低減することができる。
【０１３８】
また、開示の通信制御装置１３０は、移動局１１１から基地局１１２に電波が送信される回数を減らして、移動局１１１の消費電力を低減することができる。また、開示の通信制御装置１３０は、移動局１１１から基地局１１２に電波が送信される回数を減らして、基地局１１２への接続に成功するまでにかかる時間を短縮することができる。
【０１３９】
また、開示の通信制御装置１３０は、各時間帯と各時間帯において移動局１１１に送信電力の初期値として設定させる値とを対応付けて記憶しておき、各時間帯になった場合に移動局１１１に送信電力の初期値として各時間帯に対応する値を設定させる。これにより、開示の通信制御装置１３０は、移動局１１１に、現在の時間帯における上り通信の輻輳状態の輻輳度合いが大きいほど、大きい値を初期値に設定させることができる。
【０１４０】
結果として、開示の通信制御装置１３０は、移動局１１１から基地局１１２に電波が送信される回数を減らして、基地局１１２における上り通信の輻輳を抑制することができる。また、開示の通信制御装置１３０は、移動局１１１から基地局１１２に電波が送信される回数を減らして、電波の干渉を抑制して基地局１１２におけるノイズフロアを低減することができる。
【０１４１】
また、開示の通信制御装置１３０は、移動局１１１から基地局１１２に電波が送信される回数を減らして、移動局１１１の消費電力を低減することができる。また、開示の通信制御装置１３０は、移動局１１１から基地局１１２に電波が送信される回数を減らして、基地局１１２への接続に成功するまでにかかる時間を短縮することができる。
【０１４２】
また、開示の通信制御装置１３０は、各時間帯における基地局１１２の上り通信の輻輳状態を判定し、後の時間帯において移動局１１１に送信電力の初期値として設定させる値を決定する。これにより、開示の通信制御装置１３０は、自動で、各時間帯と各時間帯において移動局１１１に送信電力の初期値として設定させる値とを対応付けて記憶することができる。
【０１４３】
また、例えば、基地局１１２を増設することにより通信負荷を分散して基地局１１２の上り通信の輻輳を抑制する構成が考えられる。しかしながら、この場合、基地局１１２の増設によりコストが増大してしまう。これに対し、本実施の形態では、基地局１１２を増設することがないため、コストの増大を抑えることができる。
【０１４４】
また、例えば、基地局１１２の管理者が、基地局１１２の上り通信の輻輳状態を監視して、基地局１１２が輻輳した場合に基地局１１２の通信圏内の移動局１１１に設定要求を送信する構成が考えられる。しかしながら、この場合、管理者の作業負担が増大するとともに、管理者のミスによって基地局１１２がかえって輻輳してしまうおそれがある。これに対し、開示の通信制御装置１３０は、自動で基地局１１２の通信圏内の移動局１１１に設定要求を送信するため、管理者の作業負担を低減することができるとともに、管理者のミスによる輻輳状態の悪化を防止することができる。
【０１４５】
また、例えば、従来の移動局が、ランダムタイマを起動してランダムタイマがタイムアウトした時に基地局１１２への接続を試行する構成が考えられる。しかしながら、通勤ラッシュの時間帯などのように長時間にわたって基地局１１２の上り通信が輻輳している場合がある。この場合、従来の移動局は、ランダムタイマによって基地局１１２への接続を試行するタイミングをずらしても、基地局１１２の上り通信が輻輳し続けているから、基地局１１２へ接続することは困難である。
【０１４６】
結果として、従来の移動局は、基地局１１２への接続に成功するまでにかかる時間を増大させてしまうとともに、ノイズの発生時間を増大させてしまう。また、従来の移動局は、基地局１１２への接続に成功するまで電話やメールを着信することができないため、従来の移動局の利用者に不便をかけるおそれがある。
【０１４７】
これに対し、開示の通信制御装置１３０は、基地局１１２の上り通信が輻輳しているほど移動局１１１に送信電力の初期値として大きな値を設定させる。これにより、開示の通信制御装置１３０は、移動局１１１から基地局１１２に電波が送信される回数を減らして、基地局１１２における上り通信の輻輳を抑制することができる。また、開示の通信制御装置１３０は、移動局１１１から基地局１１２に電波が送信される回数を減らして、基地局１１２への接続に成功するまでにかかる時間を短縮することができる。
【０１４８】
また、従来の移動局が、基地局１１２から受信した電波の強度が閾値以下の時に、送信電力を大きく設定する構成が考えられる。しかしながら、この場合では、従来の移動局における基地局１１２から受信した電波の強度が閾値より大きいが、基地局１１２の上り通信が輻輳している時には、基地局１１２の上り通信の輻輳を抑制することができない。
【０１４９】
これに対し、開示の通信制御装置１３０は、基地局１１２の上り通信が輻輳しているほど移動局１１１に送信電力の初期値として大きな値を設定させる。これにより、開示の通信制御装置１３０は、移動局１１１における基地局１１２から受信した電波の強度が閾値より大きいが、基地局１１２の上り通信が輻輳している時には、基地局１１２の上り通信の輻輳を抑制することができる。
【０１５０】
また、交換機２２３が、交通機関の運行情報データベースを参照して、交通機関が位置登録エリアの境界を通過する時刻が到来すると、交通機関に乗車している従来の移動局の位置登録エリアを変更する構成が考えられる。しかしながら、この場合では、位置登録エリアの登録以外の理由で複数の従来の移動局が基地局１１２への接続を試行した時には、基地局１１２の上り通信の輻輳を抑制することができない。
【０１５１】
また、基地局１１２の上り通信が輻輳する原因が交通機関により複数の従来の移動局が運ばれること以外の場合では、基地局１１２の上り通信の輻輳を抑制することができない。また、交通機関の運行に乱れが生じた場合に、交換機２２３に登録された従来の移動局の位置登録エリアと、従来の移動局が実際に存在する位置登録エリアと、にずれが生じて、従来の移動局が電話やメールを着信することができなくなるおそれがある。
【０１５２】
これに対し、開示の通信制御装置１３０は、基地局１１２の上り通信が輻輳しているほど移動局１１１に送信電力の初期値として大きな値を設定させる。これにより、開示の通信制御装置１３０は、位置登録エリアの登録以外の理由で複数の従来の移動局が基地局１１２への接続を試行した時であっても、基地局１１２の上り通信の輻輳を抑制することができる。また、開示の通信制御装置１３０は、基地局１１２の上り通信が輻輳する原因が交通機関により複数の従来の移動局が運ばれること以外の場合であっても、基地局１１２の上り通信の輻輳を抑制することができる。
【０１５３】
また、開示の移動局１１１は、開示の通信制御装置１３０の制御に従って送信電力の初期値を設定した後、開示の移動局１１１が実際に存在している位置登録エリアの識別子を用いて交換機２２３に位置登録要求する。そのため、開示の移動局１１１は、交換機２２３に登録された移動局１１１の位置登録エリアと、移動局１１１が実際に存在する位置登録エリアと、にずれが生じることを防止し、電話やメール着信することができる。
【０１５４】
上述した実施の形態に関し、さらに以下の付記を開示する。
【０１５５】
（付記１）基地局における上り通信の輻輳状態を判定する判定部と、
送信電力を初期値から段階的に上げながら前記基地局への接続を試行する移動局に、前記判定部によって第１の輻輳状態であると判定された場合には第１の値を前記初期値に設定させ、前記判定部によって前記第１の輻輳状態より輻輳している第２の輻輳状態であると判定された場合には前記第１の値より大きい第２の値を前記初期値に設定させる制御部と、
を有することを特徴とする通信制御装置。
【０１５６】
（付記２）前記判定部は、前記上り通信が３以上の輻輳状態の中のいずれの輻輳状態であるかを判定し、
前記制御部は、前記移動局に、前記判定部によって判定された輻輳状態の輻輳度合いが大きいほど大きい値を前記初期値に設定させることを特徴とする付記１に記載の通信制御装置。
【０１５７】
（付記３）前記制御部は、前記移動局が前記初期値を決定するためのパラメータを含む設定要求を前記移動局へ送信することによって、前記移動局に前記初期値を設定させることを特徴とする付記１または２に記載の通信制御装置。
【０１５８】
（付記４）前記制御部は、前記移動局に、前記第２の値を前記初期値に設定させてから所定時間経過後に、前記第１の値を前記送信電力の初期値に設定させることを特徴とする付記１〜３のいずれか一つに記載の通信制御装置。
【０１５９】
（付記５）送信電力の第１の値と第１の時間帯とを対応付け、前記第１の値より大きい第２の値と前記第１の時間帯とは異なる第２の時間帯とを対応付けた対応情報を取得する取得部と、
前記取得部によって取得された対応情報を参照して、送信電力を初期値から段階的に上げながら基地局への接続を試行する移動局に、現在の時間帯に対応する値を前記初期値に設定させる制御部と、
を有することを特徴とする通信制御装置。
【０１６０】
（付記６）前記第１の時間帯は、前記基地局における上り通信が第１の輻輳状態となる時間帯であって、
前記第２の時間帯は、前記上り通信が前記第１の輻輳状態より輻輳している第２の輻輳状態となる時間帯であることを特徴とする付記５に記載の通信制御装置。
【０１６１】
（付記７）複数の時間帯における前記上り通信の輻輳の程度を示す情報を取得し、取得した情報に基づいて、前記複数の時間帯と、前記複数の時間帯での前記上り通信の輻輳の程度が大きいほど大きい値と、を対応付けた対応情報を作成する作成部と、
前記作成部によって作成された対応情報を記憶する記憶部と、を有し、
前記制御部は、前記記憶部に記憶された対応情報を参照して、前記移動局に、現在の時間帯に対応する初期値を前記送信電力の初期値に設定させることを特徴とする付記５または６に記載の通信制御装置。
【０１６２】
（付記８）送信電力を初期値から段階的に上げながら基地局への接続を試行する通信部と、
前記基地局における上り通信の輻輳状態を判定し、第１の輻輳状態であると判定された場合には第１の値を前記初期値に設定させ、前記第１の輻輳状態より輻輳している第２の輻輳状態であると判定された場合には前記第１の値より大きい第２の値を前記初期値に設定させる通信制御装置による制御に従って、前記初期値を設定する設定部と、
を有することを特徴とする移動局。
【０１６３】
（付記９）送信電力を初期値から段階的に上げながら基地局への接続を試行する通信部と、
送信電力の第１の値と第１の時間帯とを対応付け、前記第１の値より大きい第２の値と前記第１の時間帯とは異なる第２の時間帯とを対応付けた対応情報を参照して、現在の時間帯に対応する値を前記初期値に設定させる通信制御装置による制御に従って、前記初期値を設定する設定部と、
を有することを特徴とする移動局。
【０１６４】
（付記１０）コンピュータが、
基地局における上り通信の輻輳状態を判定し、
送信電力を初期値から段階的に上げながら前記基地局への接続を試行する移動局に、第１の輻輳状態であると判定された場合には第１の値を前記初期値に設定させ、前記第１の輻輳状態より輻輳している第２の輻輳状態であると判定された場合には前記第１の値より大きい第２の値を前記初期値に設定させる、
処理を実行することを特徴とする通信制御方法。
【０１６５】
（付記１１）コンピュータが、
送信電力の第１の値と第１の時間帯とを対応付け、前記第１の値より大きい第２の値と前記第１の時間帯とは異なる第２の時間帯とを対応付けた対応情報を取得し、
取得した対応情報を参照して、送信電力を初期値から段階的に上げながら基地局への接続を試行する移動局に、現在の時間帯に対応する値を前記初期値に設定させる、
処理を実行することを特徴とする通信制御方法。
【０１６６】
（付記１２）コンピュータが、
送信電力を初期値から段階的に上げながら基地局への接続を試行し、
前記基地局における上り通信の輻輳状態を判定し、第１の輻輳状態であると判定された場合には第１の値を前記初期値に設定させ、前記第１の輻輳状態より輻輳している第２の輻輳状態であると判定された場合には前記第１の値より大きい第２の値を前記初期値に設定させる通信制御装置による制御に従って、前記初期値を設定する、
処理を実行することを特徴とする通信方法。
【０１６７】
（付記１３）コンピュータが、
送信電力を初期値から段階的に上げながら基地局への接続を試行し、
送信電力の第１の値と第１の時間帯とを対応付け、前記第１の値より大きい第２の値と前記第１の時間帯とは異なる第２の時間帯とを対応付けた対応情報を参照して、現在の時間帯に対応する値を前記初期値に設定させる通信制御装置による制御に従って、前記初期値を設定する、
処理を実行することを特徴とする通信方法。
【０１６８】
（付記１４）送信電力を初期値から段階的に上げながら基地局への接続を試行する移動局と、
前記基地局における上り通信の輻輳状態を判定し、前記移動局に、第１の輻輳状態であると判定された場合には第１の値を前記初期値に設定させ、前記第１の輻輳状態より輻輳している第２の輻輳状態であると判定された場合には前記第１の値より大きい第２の値を前記初期値に設定させる通信制御装置と、
を含むことを特徴とする通信システム。
【０１６９】
（付記１５）送信電力を初期値から段階的に上げながら基地局への接続を試行する移動局と、
送信電力の第１の値と第１の時間帯とを対応付け、前記第１の値より大きい第２の値と前記第１の時間帯とは異なる第２の時間帯とを対応付けた対応情報を参照して、前記移動局に、現在の時間帯に対応する値を前記初期値に設定させる通信制御装置と、
を含むことを特徴とする通信システム。
【０１７０】
（付記１６）移動局と通信制御装置とを含む通信システムにおける通信方法において、
前記移動局は、送信電力を初期値から段階的に上げながら基地局への接続を試行し、
前記通信制御装置は、前記基地局における上り通信の輻輳状態を判定し、前記移動局に、第１の輻輳状態であると判定された場合には第１の値を前記初期値に設定させ、前記第１の輻輳状態より輻輳している第２の輻輳状態であると判定された場合には前記第１の値より大きい第２の値を前記初期値に設定させる、
ことを特徴とする通信方法。
【０１７１】
（付記１７）移動局と通信制御装置とを含む通信システムにおける通信方法において、
前記移動局は、送信電力を初期値から段階的に上げながら基地局への接続を試行し、
前記通信制御装置は、前記送信電力の第１の値と第１の時間帯とを対応付け、前記第１の値より大きい第２の値と前記第１の時間帯とは異なる第２の時間帯とを対応付けた対応情報を参照して、前記移動局に、現在の時間帯に対応する値を前記初期値に設定させる、
ことを特徴とする通信方法。
【符号の説明】
【０１７２】
１１１  移動局
１１２  基地局
１３０  通信制御装置
７０１  判定部
７０２  制御部
７０３  取得部
７０４  作成部
７０５  記憶部
８０１  通信部
８０２  設定部
【図１】
2014116815.tif 000003
【図２】
2014116815.tif 000004
【図３】
2014116815.tif 000005
【図４】
2014116815.tif 000006
【図５】
2014116815.tif 000007
【図６】
2014116815.tif 000008
【図７】
2014116815.tif 000009
【図８】
2014116815.tif 000010
【図９】
2014116815.tif 000011
【図１０】
2014116815.tif 000012
【図１１】
2014116815.tif 000013
【図１２】
2014116815.tif 000014
【図１３】
2014116815.tif 000015
【図１４】
2014116815.tif 000016
【図１５】
2014116815.tif 000017
【図１６】
2014116815.tif 000018